(57)【要約】【課題】ロック装置を構成する構成部品が多く、動作するための機構が複雑であり、記録装置が大型化してしまうという課題がある。【解決手段】第１回動部材３０と第２回動部材３１とは、第１被係合部３０１と第２被押圧部３１２とが対向し、第２被係合部３１１と第１被押圧部３０２とが対向するように配置され、印刷装置２に対してスキャナー装置３が閉じた状態で、スキャナー装置３に対して給送装置４が開いた状態にあるとき、第１突出部材２０の第１係合部２００と第１回動部材３０の第１被係合部３０１とは係合し、スキャナー装置３に対して給送装置４が閉じた状態で、印刷装置２に対してスキャナー装置３が開いた状態にあるとき、第２突出部材４０の第２係合部４００と第２回動部材３１の第２被係合部３１１とは係合する記録装置を提供する。【選択図】図４
2013086291.tif 000002
【特許請求の範囲】
【請求項１】
第１ユニットと、
前記第１ユニットとの連結部を支点として回動する第２ユニットと、
前記第２ユニットを挟んで前記第１ユニットと反対側に位置し、前記第２ユニットとの連結部を支点として回動する第３ユニットと、を備え、
前記第１ユニットには、先端側に第１係合部を有し、前記第２ユニット側に突出する第１突出部材を備え、
前記第３ユニットには、先端側に第２係合部を有し、前記第２ユニット側に突出する第２突出部材を備え、
前記第２ユニットには、一端側に形成された第１被係合部と他端側に形成された第１被押圧部とを有して回動する第１回動部材と、一端側に形成された第２被係合部と他端側に形成された第２被押圧部とを有して回動する第２回動部材と、を備え、
前記第１回動部材と前記第２回動部材とは、前記第１被係合部と前記第２被押圧部とが対向し、前記第２被係合部と前記第１被押圧部とが対向するように配置され、
前記第１ユニットに対して前記第２ユニットが閉じた状態で、前記第２ユニットに対して前記第３ユニットが開いた状態にあるとき、前記第１ユニットに備えられた前記第１突出部材の前記第１係合部と前記第２ユニットに備えられた前記第１回動部材の前記第１被係合部とが係合し、
前記第２ユニットに対して前記第３ユニットが閉じた状態で、前記第１ユニットに対して前記第２ユニットが開いた状態にあるとき、前記第３ユニットに備えられた前記第２突出部材の前記第２係合部と前記第２ユニットに備えられた前記第２回動部材の前記第２被係合部とが係合することを特徴とする記録装置。
【請求項２】
請求項１に記載の記録装置であって、
前記第１ユニットに対して前記第２ユニットが閉じた状態で、前記第２ユニットに対して前記第３ユニットが開いた状態にあるとき、前記第１突出部材の前記第１係合部は、前記第２回動部材の前記第２被押圧部を押圧し、前記第２ユニットに備えられた前記第２回動部材の前記第２被係合部は、前記第３ユニットに備えられた前記第２突出部材の前記第２係合部と係合せず、
前記第２ユニットに対して前記第３ユニットが閉じた状態で、前記第１ユニットに対して前記第２ユニットが開いた状態にあるとき、前記第２突出部材の前記第２係合部は、前記第１回動部材の前記第１被押圧部を押圧し、前記第２ユニットに備えられた前記第１回動部材の前記第１被係合部は、前記第１ユニットに備えられた前記第１突出部材の前記第１係合部と係合しないことを特徴とする記録装置。
【請求項３】
請求項１または請求項２に記載の記録装置であって、
前記第２突出部材によって前記第１回動部材が押圧されて回動する方向と反対方向に、前記第１回動部材を回動させる第１付勢部材と、
前記第１突出部材によって前記第２回動部材が押圧されて回動する方向と反対方向に、前記第２回動部材を回動させる第２付勢部材と、を前記第２ユニットに備えたことを特徴とする記録装置。
【請求項４】
請求項１から請求項３のいずれか一項に記載の記録装置であって、
前記第１回動部材と前記第２回動部材とは、同一形状かつ同一の大きさに形成され、前記第１ユニットに対して前記第２ユニットが閉じた状態で、前記第２ユニットに対して前記第３ユニットが閉じた状態にあるとき、点対称に配置されることを特徴とする記録装置。
【発明の詳細な説明】
【技術分野】
【０００１】
本発明は、記録装置に関する。
【背景技術】
【０００２】
液体噴射ヘッドを備えたインクジェット式プリンターや、感光体を備えてレーザーなどによって画像を形成する電子写真式プリンターなどの記録装置には、文字や画像を印刷する印刷装置の上に、原稿に描かれた文字や画像を読み取るスキャナー装置を積み重ね、さらにスキャナー装置の上に、用紙を連続して給送するための給送装置を積み重ねたものがある。
このような記録装置では、ヒンジなどを用いて、印刷装置に対して回動自由にスキャナー装置を連結し、スキャナー装置に対して回動自由に給送装置を連結したものがある。例えば、給送装置を用いないで１枚の原稿を読み取るときは、使用者は給送装置の一端を持ち上げ、１枚の原稿をスキャナー装置の原稿台に載置する。また、印刷装置内に備えられた消耗品を交換したり、紙ジャムなどによって印刷装置内に残った用紙を取り除いたりするときは、使用者はスキャナー装置の一端を持ち上げて行う。
しかし、給送装置の一端を持ち上げたとき、給送装置の下に置かれたスキャナー装置も回動してしまい、スキャナー装置が印刷装置に対して一端が開いてしまうことがある。また、スキャナー装置の一端を持ち上げたとき、スキャナー装置の上に置かれた給送装置も回動してしまい、給送装置がスキャナー装置に対して一端が開いてしまうことがある。
そこで、例えば、特許文献１では、使用者が所望した装置の一端を持ち上げたとき、他の装置が回動して開かないようにするためのロック装置を備えている。
【先行技術文献】
【特許文献】
【０００３】
【特許文献１】実用新案登録第３１６２４２９号公報
【発明の概要】
【発明が解決しようとする課題】
【０００４】
しかしながら、特許文献１に記載のロック装置では、ロック装置を構成する構成部品が多く、動作するための機構が複雑であり、記録装置が大型化してしまうという課題がある。
【課題を解決するための手段】
【０００５】
本発明は、上述の課題の少なくとも一部を解決するためになされたものであり、以下の形態または適用例として実現することが可能である。
【０００６】
［適用例１］第１ユニットと、前記第１ユニットとの連結部を支点として回動する第２ユニットと、前記第２ユニットを挟んで前記第１ユニットと反対側に位置し、前記第２ユニットとの連結部を支点として回動する第３ユニットと、を備え、前記第１ユニットには、先端側に第１係合部を有し、前記第２ユニット側に突出する第１突出部材を備え、前記第３ユニットには、先端側に第２係合部を有し、前記第２ユニット側に突出する第２突出部材を備え、前記第２ユニットには、一端側に形成された第１被係合部と他端側に形成された第１被押圧部とを有して回動する第１回動部材と、一端側に形成された第２被係合部と他端側に形成された第２被押圧部とを有して回動する第２回動部材と、を備え、前記第１回動部材と前記第２回動部材とは、前記第１被係合部と前記第２被押圧部とが対向し、前記第２被係合部と前記第１被押圧部とが対向するように配置され、前記第１ユニットに対して前記第２ユニットが閉じた状態で、前記第２ユニットに対して前記第３ユニットが開いた状態にあるとき、前記第１ユニットに備えられた前記第１突出部材の前記第１係合部と前記第２ユニットに備えられた前記第１回動部材の前記第１被係合部とが係合し、前記第２ユニットに対して前記第３ユニットが閉じた状態で、前記第１ユニットに対して前記第２ユニットが開いた状態にあるとき、前記第３ユニットに備えられた前記第２突出部材の前記第２係合部と前記第２ユニットに備えられた前記第２回動部材の前記第２被係合部とが係合することを特徴とする記録装置。
【０００７】
本適用例によれば、第１回動部材と第２回動部材とは、第１被係合部と第２被押圧部とが対向し、第２被係合部と第１被押圧部とが対向するように配置され、第１ユニットに対して第２ユニットが閉じた状態で、第２ユニットに対して第３ユニットが開いた状態にあるとき、第１ユニットに備えられた第１突出部材の第１係合部と第２ユニットに備えられた第１回動部材の第１被係合部とが係合する。これにより、第１ユニットと第２ユニットとはロックされるので、第２ユニットに対して第３ユニットを回動させたとき、第１ユニットに対して第２ユニットが回動してしまい、第２ユニットの一端が第１ユニットに対して開いてしまうことを抑制する。
【０００８】
また、第２ユニットに対して第３ユニットが閉じた状態で、第１ユニットに対して第２ユニットが開いた状態にあるとき、第３ユニットに備えられた第２突出部材の第２係合部と第２ユニットに備えられた第２回動部材の第２被係合部とが係合する。これにより、第２ユニットと第３ユニットとはロックされるので、第１ユニットに対して第２ユニットを回動させたとき、第２ユニットに対して第３ユニットが回動してしまい、第３ユニットの一端が第２ユニットに対して開いてしまうことを抑制する。
【０００９】
上記の構成によれば、ロックするための構成部品が多くなることにより動作するための機構が複雑化してしまうことを抑制できるので、記録装置が大型化してしまうことや製造コストの増加を抑制できる。
【００１０】
［適用例２］前記第１ユニットに対して前記第２ユニットが閉じた状態で、前記第２ユニットに対して前記第３ユニットが開いた状態にあるとき、前記第１突出部材の前記第１係合部は、前記第２回動部材の前記第２被押圧部を押圧し、前記第２ユニットに備えられた前記第２回動部材の前記第２被係合部は、前記第３ユニットに備えられた前記第２突出部材の前記第２係合部と係合せず、前記第２ユニットに対して前記第３ユニットが閉じた状態で、前記第１ユニットに対して前記第２ユニットが開いた状態にあるとき、前記第２突出部材の前記第２係合部は、前記第１回動部材の前記第１被押圧部を押圧し、前記第２ユニットに備えられた前記第１回動部材の前記第１被係合部は、前記第１ユニットに備えられた前記第１突出部材の前記第１係合部と係合しないことを特徴とする上記記録装置。
【００１１】
本適用例によれば、第１ユニットに対して第２ユニットが閉じた状態で、第２ユニットに対して第３ユニットが開いた状態にあるとき、第１突出部材の第１係合部は、第２回動部材の第２被押圧部を押圧し、第２ユニットに備えられた第２回動部材の第２被係合部は、第３ユニットに備えられた第２突出部材の第２係合部と係合しない。これにより、第２ユニットと第３ユニットとのロック状態を解除できる。
【００１２】
また、第２ユニットに対して第３ユニットが閉じた状態で、第１ユニットに対して第２ユニットが開いた状態にあるとき、第２突出部材の第２係合部は、第１回動部材の第１被押圧部を押圧し、第２ユニットに備えられた第１回動部材の第１被係合部は、第１ユニットに備えられた第１突出部材の第１係合部と係合しない。これにより、第１ユニットと第２ユニットとのロック状態を解除できる。
【００１３】
上記の構成によれば、ロックするための構成部品が多くなることにより動作するための機構が複雑化してしまうことを抑制できるので、記録装置が大型化してしまうことや製造コストの増加を抑制できる。
【００１４】
［適用例３］前記第２突出部材によって前記第１回動部材が押圧されて回動する方向と反対方向に、前記第１回動部材を回動させる第１付勢部材と、前記第１突出部材によって前記第２回動部材が押圧されて回動する方向と反対方向に、前記第２回動部材を回動させる第２付勢部材と、を前記第２ユニットに備えたことを特徴とする上記記録装置。
【００１５】
本適用例によれば、第１回動部材、第２回動部材の回動速度を増加させることができる。そのため、第１ユニットと第２ユニットまたは第２ユニットと第３ユニットとがロックされていない状態からロック状態に移行するまでの時間を短くできる。
【００１６】
［適用例４］前記第１回動部材と前記第２回動部材とは、同一形状かつ同一の大きさに形成され、前記第１ユニットに対して前記第２ユニットが閉じた状態で、前記第２ユニットに対して前記第３ユニットが閉じた状態にあるとき、点対称に配置されることを特徴とする上記記録装置。
【００１７】
本適用例によれば、製造コストの上昇を抑制できる。
【図面の簡単な説明】
【００１８】
【図１】記録装置の正面側から見た外観斜視図。
【図２】印刷装置、スキャナー装置、給送装置のロック状態を模式的に説明するための図。
【図３】ロック機構が備えられる位置を模式的に説明する図。
【図４】ロック機構を詳細に説明するための図。
【図５】ロック機構を詳細に説明するための図。
【図６】ロック機構を詳細に説明するための図。
【発明を実施するための形態】
【００１９】
以下、本発明の実施形態について、図面を参照して説明する。
（実施形態１）
図１は、本実施形態の記録装置の一例であるインクジェット式プリンター（以降は、プリンターという）１を、正面側から見た外観斜視図である。プリンター１には、印刷装置２、印刷装置２の鉛直方向Ｄ１における上側に配置されたスキャナー装置３、スキャナー装置３の鉛直方向Ｄ１における上側に配置された給送装置４が備えられる。
【００２０】
印刷装置２の正面側には、使用者によって引き出し可能な用紙カセット１３が備えられ、用紙カセット１３には、記録媒体としての用紙（不図示）が収納される。また、印刷装置２の背面側には、用紙を載置する用紙サポート６を含んで構成される給紙装置が備えられる。給紙装置は、用紙サポート６に載置された用紙を印刷装置２の内部に給紙する。
【００２１】
印刷装置２には、インクを噴射する液体噴射ヘッド（不図示）が備えられる。印刷装置２は、用紙サポート６に載置された用紙を液体噴射ヘッドに対向する位置に給紙し、用紙に文字や画像を印刷する。印刷された用紙は、開口部１０から排紙方向Ｄ２に排紙され、スタッカー１１に載置される。
【００２２】
スキャナー装置３には、透明な原稿台（不図示）やイメージセンサーなどを搭載した読取部（不図示）などが備えられる。給送装置４は、用紙サポート５に載置された原稿（不図示）をスキャナー装置３内部の原稿台上に給送する。スキャナー装置３は、読取部によって、原稿に描かれた画像を原稿台上で読取り、画像データを取得する。その後、給送装置４は、原稿を排紙方向Ｄ３に送ってスタッカー１２に排出する。
【００２３】
印刷装置２の正面側には、電源のオン・オフ操作や、印刷条件、読取条件の設定操作などを行うための操作ボタン７，８が備えられる。また、印刷装置２の正面側には、印刷条件、読取条件の設定内容や操作内容を表示するため、液晶パネルなどによって構成された表示部９が備えられる。
【００２４】
図２（ａ）、（ｂ）、（ｃ）は、図１のプリンター１を正面側から見た図で、印刷装置２、スキャナー装置３、給送装置４のロック状態を模式的に説明するための図である。第１ユニットとしての印刷装置２と第２ユニットとしてのスキャナー装置３とは、ヒンジなどの連結部１４を支点として、回動可能に連結されている。また、スキャナー装置３と第３ユニットとしての給送装置４とは、ヒンジなどの連結部１５を支点として、回動可能に連結されている。
【００２５】
印刷装置２には、スキャナー装置３側に突出した第１突出部材２０が備えられ、給送装置４には、スキャナー装置３側に突出した第２突出部材４０が備えられる。スキャナー装置３には、第１回動部材３０、第２回動部材３１が備えられる。本実施形態におけるロック機構は、第１突出部材２０、第２突出部材４０、第１回動部材３０、第２回動部材３１を含んで構成される。
【００２６】
図２（ａ）は、印刷装置２に対してスキャナー装置３が閉じた状態にあり、スキャナー装置３に対して給送装置４が閉じた状態にある。このような状態にあるとき、印刷装置２とスキャナー装置３とはロック状態ではなく、また、スキャナー装置３と給送装置４とはロック状態ではない。
【００２７】
図２（ｂ）は、印刷装置２に対してスキャナー装置３が閉じた状態にあり、スキャナー装置３に対して給送装置４が開いた状態にある。使用者は、図２（ｂ）に示すように、連結部１５を支点として給送装置４を回動させ、給送装置４をスキャナー装置３に対して開いた状態にして、原稿を原稿台に載置し、原稿に描かれた文字や画像を読み取らせようとするときがある。
【００２８】
このような図２（ｂ）の状態にあるとき、印刷装置２に備えられた第１突出部材２０とスキャナー装置３に備えられた第１回動部材３０とは係合し、印刷装置２とスキャナー装置３とはロック状態である。また、給送装置４に備えられた第２突出部材４０とスキャナー装置３に備えられた第２回動部材３１とは係合せず、給送装置４とスキャナー装置３とはロック状態ではない。
【００２９】
図２（ｃ）は、印刷装置２に対してスキャナー装置３が開いた状態にあり、スキャナー装置３に対して給送装置４が閉じた状態にある。使用者は、図２（ｃ）に示すように、連結部１４を支点としてスキャナー装置３を回動させ、スキャナー装置３を印刷装置２に対して開いた状態にして、印刷装置２の消耗品を交換したり、紙ジャムなどによって印刷装置２内に残った用紙を取り出したりするときがある。
【００３０】
このような図２（ｃ）の状態にあるとき、給送装置４に備えられた第２突出部材４０とスキャナー装置３に備えられた第２回動部材３１とは係合し、給送装置４とスキャナー装置３とはロック状態である。また、印刷装置２に備えられた第１突出部材２０とスキャナー装置３に備えられた第１回動部材３０とは係合せず、印刷装置２とスキャナー装置３とはロック状態ではない。
【００３１】
図３は、プリンター１を鉛直方向Ｄ１上側から見た図で、図１の用紙サポート５，６、スタッカー１１，１２を図示せずに、本実施形態におけるロック機構が備えられる位置を模式的に説明する図である。
【００３２】
本実施形態のロック機構は、排紙方向Ｄ２における両端部で、排紙方向Ｄ３における連結部１４，１５と反対側の端部の位置５０，５１にそれぞれ備えられる。一つのロック機構を、排紙方向Ｄ２における中央部で、排紙方向Ｄ３における連結部１４，１５と反対側の端部の位置５２に備えてもよい。
【００３３】
図４は、図２（ａ）の状態におけるロック機構を詳細に説明するための図である。第１回動部材３０は、一端側に鉤状の第１被係合部３０１を有し、他端側に第１被押圧部３０２を有し、回動軸３００を中心に回動自由にスキャナー装置３に備えられる。
【００３４】
第２回動部材３１は、一端側に鉤状の第２被係合部３１１を有し、他端側に第２被押圧部３１２を有し、回動軸３１０を中心に回動自由にスキャナー装置３に備えられる。
【００３５】
第１突出部材２０は、印刷装置２の筐体２１からスキャナー装置３側に突出して備えられ、スキャナー装置３の筐体３６に設けられた貫通孔３２を貫通する。また、第２突出部材４０は、給送装置４の筐体４１からスキャナー装置３側に突出して備えられ、スキャナー装置３の筐体３６に設けられた貫通孔３３を貫通する。
【００３６】
第１突出部材２０の先端側に形成された鉤状の第１係合部２００は、第２回動部材３１の第２被押圧部３１２を押圧する。そのため、第２回動部材３１の第２被係合部３１１は、第２突出部材４０の第２係合部４００と係合しない位置にある。
【００３７】
また、第２突出部材４０の先端側に形成された鉤状の第２係合部４００は、第１回動部材３０の第１被押圧部３０２を押圧する。そのため、第１回動部材３０の第１被係合部３０１は、第１突出部材２０の第１係合部２００と係合しない位置にある。
【００３８】
従って、図２（ａ）、図４の印刷装置２に対してスキャナー装置３が閉じた状態にあり、スキャナー装置３に対して給送装置４が閉じた状態にあるとき、印刷装置２とスキャナー装置３とはロック状態ではなく、また、スキャナー装置３と給送装置４とはロック状態ではない。
【００３９】
本実施形態の第１回動部材３０と第２回動部材３１とは、同じ形状で同じ大きさである。第１回動部材３０と第２回動部材３１とは点対称に配置される。すなわち、回動軸３００，３１０を通る破線Ｌにおける回動軸３００と回動軸３１０の中心点Ｓを中心に、第１回動部材３０を１８０度回転させると、図４の第２回動部材３１の位置になり、同様に、第２回動部材３１を、中心点Ｓを中心に１８０度回転させると、図４の第１回動部材３０の位置になる。
【００４０】
従って、第１回動部材３０の第１被係合部３０１と第２回動部材３１の第２被押圧部３１２とが対向し、第２回動部材３１の第２被係合部３１１と第１回動部材３０の第１被押圧部３０２とが対向するように、第１回動部材３０と第２回動部材３１とは備えられる。
【００４１】
一端が第１回動部材３０と連結され、他端がスキャナー装置３に連結された第１付勢部材としてのバネ３５が備えられる。バネ３５は、第１回動部材３０を鉛直方向Ｄ１における上方向に付勢する。そのため、バネ３５によって、第２突出部材４０の第２係合部４００によって第１回動部材３０が押圧されて回動する方向Ａ１と反対の方向Ａ２に、第１回動部材３０を回動させようとする力が作用する。
【００４２】
また、一端が第２回動部材３１と連結され、他端がスキャナー装置３に連結された第２付勢部材としてのバネ３４が備えられる。バネ３４は、第２回動部材３１を鉛直方向Ｄ１における下方向に付勢する。そのため、バネ３４によって、第１突出部材２０の第１係合部２００によって第２回動部材３１が押圧されて回動する方向Ａ３と反対の方向Ａ４に、第２回動部材３１を回動させようとする力が作用する。
【００４３】
図５は、図２（ｂ）の状態におけるロック機構を詳細に説明するための図である。図４の状態から、図５の給送装置４がスキャナー装置３に対して開いた状態に移行すると、給送装置４に備えられた第２突出部材４０の第２係合部４００は、第１回動部材３０の第１被押圧部３０２から離れる。
【００４４】
そのため、図４の第１回動部材３０は、回動軸３００を中心に方向Ａ２に回動し、図５に示すように、第１回動部材３０の第１被係合部３０１は、第１突出部材２０の第１係合部２００と係合する。図５の第２回動部材３１の姿勢は、図４の状態のまま維持される。
【００４５】
従って、図２（ｂ）、図５の印刷装置２に対してスキャナー装置３が閉じた状態にあり、スキャナー装置３に対して給送装置４が開いた状態にあるとき、印刷装置２とスキャナー装置３とはロック状態であり、スキャナー装置３と給送装置４とはロック状態ではない。
【００４６】
図５の状態においても、第１回動部材３０の第１被係合部３０１と第２回動部材３１の第２被押圧部３１２とが対向し、第２回動部材３１の第２被係合部３１１と第１回動部材３０の第１被押圧部３０２とが対向するように、第１回動部材３０と第２回動部材３１とは備えられる。
【００４７】
図５の状態から給送装置４を回動させて図４のスキャナー装置３に対して閉じた状態に戻るときは、第１回動部材３０の第１被押圧部３０２が、第２突出部材４０の第２係合部４００によって押圧されて、図５の第１回動部材３０は、方向Ａ１に回動し、第１回動部材３０の第１被係合部３０１は、第１突出部材２０の第１係合部２００と係合しない図４の位置になる。
【００４８】
図６は、図２（ｃ）の状態におけるロック機構を詳細に説明するための図である。図４の状態から、図６のスキャナー装置３が印刷装置２に対して開いた状態に移行すると、印刷装置２に備えられた第１突出部材２０の第１係合部２００は、第２回動部材３１の第２被押圧部３１２から離れる。
【００４９】
そのため、図４の第２回動部材３１は、回動軸３１０を中心に方向Ａ４に回動し、図６に示すように、第２回動部材３１の第２被係合部３１１は、第２突出部材４０の第２係合部４００と係合する。図６の第１回動部材３０の姿勢は、図４の状態のまま維持される。
【００５０】
従って、図２（ｃ）、図６の印刷装置２に対してスキャナー装置３が開いた状態にあり、スキャナー装置３に対して給送装置４が閉じた状態にあるとき、印刷装置２とスキャナー装置３とはロック状態ではなく、スキャナー装置３と給送装置４とはロック状態となる。
【００５１】
図６の状態においても、第１回動部材３０の第１被係合部３０１と第２回動部材３１の第２被押圧部３１２とが対向し、第２回動部材３１の第２被係合部３１１と第１回動部材３０の第１被押圧部３０２とが対向するように、第１回動部材３０と第２回動部材３１とは備えられる。
【００５２】
図６の状態からスキャナー装置３を回動させて印刷装置２に対して閉じた図４の状態に戻るときは、第２回動部材３１の第２被押圧部３１２が、第１突出部材２０の第１係合部２００によって押圧されて、図６の第２回動部材３１は、方向Ａ３に回動し、第２回動部材３１の第２被係合部３１１は、第２突出部材４０の第２係合部４００と係合しない図４の状態になる。
【００５３】
以上、本実施形態で説明した図２（ａ）、（ｂ）、（ｃ）のプリンター１は、第１ユニットとしての印刷装置２、印刷装置２との連結部１４を支点として回動する第２ユニットとしてのスキャナー装置３、スキャナー装置３を挟んで印刷装置２と反対側に位置し、スキャナー装置３との連結部１５を支点として回動する第３ユニットとしての給送装置４を備える。
【００５４】
そして、印刷装置２には、図４、図５、図６の先端側に第１係合部２００を有し、スキャナー装置３側に突出する第１突出部材２０が備えられ、給送装置４には、先端側に第２係合部４００を有し、スキャナー装置３側に突出する第２突出部材４０が備えられ、スキャナー装置３には、一端側に形成された第１被係合部３０１と他端側に形成された第１被押圧部３０２とを有し、回動する第１回動部材３０と、一端側に形成された第２被係合部３１１と他端側に形成された第２被押圧部３１２とを有し、回動する第２回動部材３１と、が備えられる。
【００５５】
そして、第１回動部材３０と第２回動部材３１とは、第１被係合部３０１と第２被押圧部３１２とが対向し、第２被係合部３１１と第１被押圧部３０２とが対向するように配置され、図５の印刷装置２に対してスキャナー装置３が閉じた状態で、スキャナー装置３に対して給送装置４が開いた状態にあるとき、印刷装置２に備えられた第１突出部材２０の第１係合部２００とスキャナー装置３に備えられた第１回動部材３０の第１被係合部３０１とが係合し、図６のスキャナー装置３に対して給送装置４が閉じた状態で、印刷装置２に対してスキャナー装置３が開いた状態にあるとき、給送装置４に備えられた第２突出部材４０の第２係合部４００とスキャナー装置３に備えられた第２回動部材３１の第２被係合部３１１とが係合する。
【００５６】
この構成によれば、図５の印刷装置２に対してスキャナー装置３が閉じた状態で、スキャナー装置３に対して給送装置４が開いた状態にあるとき、印刷装置２とスキャナー装置３とはロックされる。これにより、スキャナー装置３に対して給送装置４を回動させたとき、印刷装置２に対してスキャナー装置３が回動してしまい、スキャナー装置３の一端が印刷装置２に対して開いてしまうことを抑制する。
【００５７】
また、図６のスキャナー装置３に対して給送装置４が閉じた状態で、印刷装置２に対してスキャナー装置３が開いた状態にあるとき、スキャナー装置３と給送装置４とはロックされる。これにより、印刷装置２に対してスキャナー装置３を回動させたとき、スキャナー装置３に対して給送装置４が回動してしまい、給送装置４の一端がスキャナー装置３に対して開いてしまうことを抑制する。
【００５８】
本実施形態の構成により、ロックするための構成部品が多くなることにより動作するための機構が複雑化してしまうことを抑制できるので、プリンター１が大型化してしまうことや製造コストの増加を抑制できる。
【００５９】
また、本実施形態のプリンター１は、図５の印刷装置２に対してスキャナー装置３が閉じた状態で、スキャナー装置３に対して給送装置４が開いた状態にあるとき、第１突出部材２０の第１係合部２００は、第２回動部材３１の第２被押圧部３１２を押圧し、スキャナー装置３に備えられた第２回動部材３１の第２被係合部３１１は、給送装置４に備えられた第２突出部材４０の第２係合部４００と係合せず、図６のスキャナー装置３に対して給送装置４が閉じた状態で、印刷装置２に対してスキャナー装置３が開いた状態にあるとき、第２突出部材４０の第２係合部４００は、第１回動部材３０の第１被押圧部３０２を押圧し、スキャナー装置３に備えられた第１回動部材３０の第１被係合部３０１は、印刷装置２に備えられた第１突出部材２０の第１係合部２００と係合しない。
【００６０】
この構成によれば、図５の印刷装置２に対してスキャナー装置３が閉じた状態で、スキャナー装置３に対して給送装置４が開いた状態にあるとき、スキャナー装置３と給送装置４とのロック状態を解除できる。また、図６のスキャナー装置３に対して給送装置４が閉じた状態で、印刷装置２に対してスキャナー装置３が開いた状態にあるとき、印刷装置２とスキャナー装置３とのロック状態を解除できる。これにより、ロックするための構成部品が多くなることにより動作するための機構が複雑化してしまうことを抑制できるので、プリンター１が大型化してしまうことや製造コストの増加を抑制できる。
【００６１】
また、図４の第２突出部材４０によって第１回動部材３０の第１被押圧部３０２が押圧されて回動する方向Ａ１と反対の方向Ａ２に、第１回動部材３０を回動させる第１付勢部材としてのバネ３５と、第１突出部材２０によって第２回動部材３１が押圧されて回動する方向Ａ３と反対の方向Ａ４に、第２回動部材３１を回動させる第２付勢部材としてのバネ３４と、をスキャナー装置３に備える。
【００６２】
この構成によれば、図４の第２突出部材４０の第２係合部４００が、図５に示すように、第１回動部材３０の第１被押圧部３０２から離れるとき、第１回動部材３０が方向Ａ２に回動するときの回動速度を増加させることができる。これにより、図４に示した印刷装置２とスキャナー装置３とがロックされていない状態から図５に示したロック状態に移行するまでの時間を短くできる。
【００６３】
同様に、図４の第１突出部材２０の第１係合部２００が、図６に示すように、第２回動部材３１の第２被押圧部３１２から離れるとき、第２回動部材３１が方向Ａ４に回動するときの回動速度を増加させることができる。これにより、図４に示したスキャナー装置３と給送装置４とがロックされていない状態から図６に示したロック状態に移行するまでの時間を短くできる。
【００６４】
また、第１回動部材３０と第２回動部材３１とは、同一形状かつ同一の大きさに形成され、図４に示したように、印刷装置２に対してスキャナー装置３が閉じた状態で、スキャナー装置３に対して給送装置４が閉じた状態にあるとき、点対称に配置される。このようにすれば、製造コストの上昇を抑制できる。
【００６５】
本実施形態では、図２（ａ）〜（ｃ）の連結部１４，１５を排紙方向Ｄ３における一方の端部に備えたが、排紙方向Ｄ２における背面側に備えてもよい。
【００６６】
本実施形態では、同一形状かつ同一の大きさに形成された第１回動部材３０と第２回動部材３１を備えたが、形状や大きさが異なった第１回動部材と第２回動部材を備えてもよい。
【００６７】
また、本実施形態では、バネ３４，３５を備えたが、第１回動部材３０、第２回動部材３１の重心位置に対する回動軸３００，３１０の位置を設定することによって、図４の状態において、第１回動部材３０を方向Ａ２に回動させ、第２回動部材３１を方向Ａ４に回動させる力が作用するようにし、バネ３４，３５を備えなくてもよい。
【００６８】
また、本実施形態では、液体噴射ヘッドを備えたインクジェット式プリンター１について説明したが、感光体を備えた電子写真式の記録装置にも適用する。
【符号の説明】
【００６９】
１…インクジェット式プリンター、２…印刷装置、３…スキャナー装置、４…給送装置、１４，１５…連結部、２０…第１突出部材、３０…第１回動部材、３１…第２回動部材、４０…第２突出部材、２００…第１係合部、３０１…第１被係合部、３０２…第１被押圧部、３１１…第２被係合部、３１２…第２被押圧部、４００…第２係合部、Ａ１，Ａ２，Ａ３，Ａ４…回動する方向。
【図１】
2013086291.tif 000003
【図２】
2013086291.tif 000004
【図３】
2013086291.tif 000005
【図４】
2013086291.tif 000006
【図５】
2013086291.tif 000007
【図６】
2013086291.tif 000008